(57)【要約】皮内注射針１は、生体の皮膚に穿刺して使用する皮内注射針組立体である。皮内注射針１は、皮膚に穿刺可能な刃先と投与物の吐出口４１とを有する中空針４と、中空針を保持するハブ２とを備える。中空針４は、外径が０．１５〜０．２０ｍｍであり、吐出口４１の中空針の軸方向長が、０．１０〜０．８０ｍｍであり、皮内注射針１は、生体の皮膚への穿刺時において、吐出口４１の全体が、皮膚下０．２０〜１．００ｍｍの範囲内に刺入可能なものとなっている。
2017010564.tif 000002
【特許請求の範囲】
【請求項１】
生体の皮膚に穿刺して使用する免疫療法用の皮内注射針であって、前記皮内注射針は、皮膚に穿刺するための穿刺端部と投与物の吐出口とを有する中空針と、前記中空針を保持するハブとを備え、さらに、前記中空針は、外径が０．１５〜０．２０ｍｍであり、前記吐出口の前記中空針の軸方向長が、０．１０〜０．８０ ｍｍであり、前記皮内注射針は、生体の皮膚への穿刺時において、前記吐出口の全体が、皮膚下０．２０〜１．００ｍｍの範囲内に刺入可能なものであることを特徴とする免疫療法用の皮内注射針。
【請求項２】
前記皮内注射針は、生体の皮膚への穿刺時において、前記吐出口の全体が、皮膚下０．２０〜０．８０ｍｍの範囲内に刺入可能なものである請求項１に記載の皮内注射針。
【請求項３】
前記ハブは、中空針保持部を備え、前記中空針は、前記中空針保持部の先端より突出しており、前記皮内注射針は、前記吐出口の先端と前記ハブの前記中空針保持部の先端間の距離が、１．００ｍｍ以下であり、前記吐出口の後端と前記ハブの前記中空針保持部の先端間の距離が、０．２０ｍｍ以上である請求項１または２に記載の皮内注射針。
【請求項４】
前記ハブは、前記中空針の周囲を囲うように円筒状に形成され、先端開口部の端部が皮膚に押し付けられることにより、前記先端開口部内で皮膚の盛り上がりを形成する皮膚押圧用円筒部を備えている請求項１ないし３のいずれかに記載の皮内注射針。
【請求項５】
前記皮膚押圧用円筒部の前記先端開口部の内径が、６〜１４ｍｍであり、前記中空針は、前記皮膚押圧用円筒部内に形成される皮膚盛り上がり部に対して、ほぼ直交する状態で穿刺されるものとなっている請求項４に記載の皮内注射針。
【請求項６】
前記ハブの前記中空針保持部の先端は、前記皮膚押圧用円筒部の先端より、前方に突出している請求項４または５に記載の皮内注射針。
【請求項７】
前記皮内注射針は、投与物の皮内注射によるＴｈ１免疫変調によって効果を期待するために用いられるものである請求項１ないし６のいずれかに記載の皮内注射針。
【請求項８】
前記皮内注射針は、アレルギー免疫療法に用いるものである請求項１ないし６のいずれかに記載の皮内注射針。
【請求項９】
前記皮内注射針は、がん免疫療法に用いるものである請求項１ないし６のいずれかに記載の皮内注射針。
【請求項１０】
前記皮内注射針は、自己免疫疾患の免疫療法に用いるものである請求項１ないし６のいずれかに記載の皮内注射針。
【請求項１１】
前記皮内注射針は、細胞性免疫の誘導を期待する感染症ワクチンに用いるものである請求項１ないし６のいずれかに記載の皮内注射針。
【請求項１２】
前記皮内注射針は、真皮内への注射によって表皮から真皮への細胞移動を誘起するためのものである請求項１ないし６のいずれかに記載の皮内注射針。
【請求項１３】
前記皮内注射針は、真皮内への注射によって表皮から真皮へのランゲルハンス細胞の移動を誘起するためのものである請求項１ないし６のいずれかに記載の皮内注射針。
【請求項１４】
前記中空針は、前記穿刺端部である刃面と前記刃面内に位置する前記吐出口を有している請求項１ないし１１のいずれかに記載の皮内注射針。
【請求項１５】
前記中空針は、閉塞した前記穿刺端部と、側面に設けられた前記吐出口を備えるものである請求項１ないし１２のいずれかに記載の皮内注射針。
【発明の詳細な説明】
【技術分野】
【０００１】
本発明は、針先を皮膚の表面より穿刺し、真皮内の上層部に薬物を投与するための免疫療法用の注射針に関する。
【背景技術】
【０００２】
花粉症等に代表されるアレルギーの要因は免疫バランスの変調が要因であると考えられている。アレルギーの根本的な治療法として、免疫療法が古くから知られている。免疫療法は減感作療法、脱感作療法とも呼ばれ、その詳細なメカニズムは不明であるが、アレルゲンの漸次的な投与により、体内の免疫バランスをＴｈ２から変調させることが治療効果につながるものと考えられている。Ｔｈ１シフトにより、ＩｇＥ産生を抑制させるとともに、ＩｇＧ産生を増加させることで、ＩｇＥ-アレルゲンの複合体のマスト細胞への結合を阻害する効果が治療効果の要因の一つとして考えられている。また、非特許文献１には、免疫療法の治療効果が高い患者は血中のＩｇＧ４の抗体価が高いことが示されており、免疫バランスの変調と治療効果が結びつく可能性が示唆されている。【０００３】
また、非特許文献２には、免疫療法において、一般的にはアレルゲンは皮下注射により投与されるが、舌下、経リンパ、表皮パッチなどアレルゲンを異なる投与経路によって送達する免疫療法の開発が進んでいることが示されている。
本願発明者は、皮内注射によってアレルゲンを送達することが、免疫療法に有効な経路となることを考えた。なお、感染症ワクチンの分野においては皮内注射ではワクチンに対するＩｇＧ抗体価の誘導能が優れており効果的な投与経路として知られている。【０００４】
感染症ワクチンでの皮内注射のメリットとして、皮膚に多く存在する免疫担当細胞にワクチンを送達させることで、抗原量削減が期待できる点、これに伴いアジュバントの削減または不使用につながり、副作用を軽減できる点があげられる(非特許文献３)。 【０００５】
感染症ワクチン以外でも、皮内に薬剤を送達することで、薬効が変化する報告がされている。具体的には、皮膚内圧の上昇により、リンパ管が膨張しリンパ流が増加すること、皮膚の物理的損傷による免疫応答によって血流が増加されることで、薬剤が毛細血管やリンパ管に速やかに吸収されることが知られている。また、皮内送達では皮内に薬剤が長く留まることにより、その薬効が長くなる効果も知られている（特許文献１)。【０００６】
免疫療法での皮内注射の利用を考えた場合には、Ｔｈ１への免疫バランスの変調をもたらす細胞群に効果的に薬剤を送達させることが重要である。非特許文献４には、皮内注射の特徴をもたらす細胞群としては、表皮に存在する、ランゲルハンス細胞および真皮に存在する真皮樹状細胞などいくつかの細胞群があることが示されている。【０００７】
さらに、非特許文献５には、表皮に存在するランゲルハンス細胞は、皮膚表面に存在する病原菌などの免疫寛容を引き起こす役割があることが示されている。非特許文献６、７、８には、皮内注射によってランゲルハンス細胞が表皮から真皮内へ移動して、Ｔｈ１細胞による免疫応答を引き起こすことが示されている。このことから、ランゲルハンス細胞に薬剤を効率的に送達させることが重要であると考えられる。【０００８】
非特許文献９において、Ｓｅｎｔｉらは、ランゲルハンス細胞の特徴を活かした経皮的なアレルゲンの投与による免疫療法の有効性を報告している。非特許文献１０において、Ｄｕｐｏｎｔらは、３カ月から１５歳の小児に対して、経皮的なアレルゲンの免疫療法の効果を報告している。【０００９】
しかし、非特許文献１１、１２には、表皮パッチなどの経皮的な送達では、ランゲルハンス細胞にアレルゲンは取り込まれるものの、アレルギーを増悪させることが示されている。このことから、経皮的ではなく真皮内に薬剤を送達させることが重要であると考えられる。望ましくは表皮直下の真皮上層部に局在するように薬剤を送達させることが効率的なランゲルハンス細胞の移動を促すものと考えられる。【００１０】
また、非特許文献１３において、Ｏｍｏｒｉ−Ｍｉｙａｋｅらは、皮膚表面の物理的刺激によってＴｈ２反応が促進され、表皮バリアを脆弱にさせることを報告している。Ｔｈ２反応による表皮バリアの障害はアトピー性皮膚炎等のアレルギー疾患の進行との関連があると考えられている。このことから、皮膚表面への刺激が少ない方法で薬物を送達させることが重要である。【００１１】
上記の知見より、免疫療法に使用する皮内注射針の特徴として、皮膚表面への刺激が少ない方法で薬物を真皮の上層部に送達することで、アレルギー増悪を起因するＴｈ２細胞による免疫応答を抑え、かつ皮内の上層部の限定的な部分に薬物を送達することで、表皮のランゲルハンス細胞の真皮内に移動によるＴｈ１細胞による免疫応答を増強させることが可能であれば、免疫療法として効果的な手段になりうることを考えた。【００１２】
皮膚は、表皮（角質層、淡明層、顆粒層、有棘層、基底層の5層から成る）、真皮（乳頭層、乳頭下層、網状層から成る）、皮下組織（脂肪層）により構成される。表皮は、皮膚表面から５０〜２００μｍ程度の層であり、真皮は、表皮から続く１．５〜３．５ｍｍ程度の層である。【００１３】
皮膚上層部への薬剤等の投与物の投与方法としては、単針、多針、パッチ、ガス等を用いた方法がある（非特許文献３、非特許文献１４）。そして、投与の安定性、信頼性、製造コストを考慮すると、皮膚上層部への投与方法としては、単針を用いた方法が最も適している。この単針を用いて真皮にワクチンを投与する方法として、古くからマントー法が知られている。マントー法は、一般的に２６〜２７Ｇのサイズで短ベベルの針先を有する針を皮膚に対して１０〜１５°程度の斜め方向から２〜５ｍｍ程度挿入して、１００μＬ程度の薬剤を投与する方法である。しかし、マントー法は、手技が難しく、注射を行う医者の技量に委ねられるため、真皮の上層部にのみ薬剤を送達させることは、現実的にマントー法では不可能である。【００１４】
上述した技術的な課題を基に、皮内をターゲットとした、注射装置に関する発明が多く報告されている（非特許文献３、非特許文献１４、特許文献１、特許文献２）。しかし、表皮直下の真皮上層部に限定して薬剤を送達する技術は存在しない。その理由としては、真皮内の薬剤送達によって、表皮の細胞移動を促そうという思想はなく、感染症ワクチンやバイオアベイラビリティーの観点から穿刺深さを規定しているため、真皮乳頭層への薬物送達を明確にターゲットにはしていないためと考えられる。【００１５】
特に、真皮内でも上層部のみに薬剤を限局的に送達させることは技術的に難しい。さらに、吐出口の深さを制御することで、真皮内での上層部にのみ限局的に薬剤分布がなされるのかを検討した報告もない。本願発明者が、鋭意検討したところ、吐出口の位置が、薬剤の真皮内での分布に影響することを確認した。【００１６】
穿刺時に皮膚表面への刺激が少ない方法としては、短く、細く、単針である注射針を用いる方法が適している。非特許文献１５において、Ｌａｕｒｅｎｔらは、針管の長さを１．５ｍｍとした３０Ｇの針で垂直穿刺した場合、２６Ｇでのマントー法による皮内注射よりも皮膚へのダメージが少なく、痛みが低減できることを示している。この他にも、針管をより細く短くすることで、針への恐怖心や穿刺時の痛みが低減できることが数多くの文献から報告されており、例えば、非特許文献１６において、Ｇｉｌｌらは、針の外径が細い針であるほど、穿刺時の痛みを軽減できることを、非特許文献１７において、針管の長さが０.４５−１．４５ｍｍの針において針管の長さが短いほど、穿刺時の痛みが顕著に軽減されることを示している。なお、複数針を有するマイクロニードルでは、皮膚表面への複数回穿刺による皮膚への刺激性が懸念される。【００１７】
真皮に垂直穿刺により薬剤を注射する方法として、本件出願人は、特開２０１５−６６１０５（特許文献３）を提案している。特許文献３の注射針組立体１は、中空針４と、中空針を保持するハブ２と、中空針の周囲を囲う皮膚押圧用円筒部２２とを備える。注射針組立体は、皮膚押圧用円筒部の先端開口部２８の端部が皮膚表面に対する斜めに押圧を阻害する部位を持たず、先端開口部の内径が６〜１４ｍｍ、中空針の先端開口部からの突出長が０．５〜１．４ｍｍである。【００１８】
また、非特許文献１８において、矢追らは、皮内注射による免疫療法は微小量で効果的であることを報告している。しかし、真皮内へのアレルゲン送達がコントロールされた状態とは想定できず、穿刺深さのコントロールによるアレルゲンの真皮内分布を考慮していない。
上記の知見より、本願発明者が、免疫療法に有効と考えられる表皮表面に刺激が少なく、かつ真皮の上層部に薬物を送達可能な皮内注射針について鋭意検討した。
【先行技術文献】
【特許文献】
【００１９】
【特許文献１】特表２００６−５０６１０３（ＷＯ２００３−０５７１４３）
【特許文献２】特表２００７−５００２５１（ＷＯ２００５−０１６４０１、ＵＳ公開２００５−０１６３７１１）
【特許文献３】特開２０１５−６６１０５
【非特許文献】
【００２０】
【非特許文献１】Akdis CA et al. Mechanisms of allergen-specific immunotherapy and immune tolerance to allergens. World Allergy Organ J. 2015; 8(1): 17.
【非特許文献２】Kundig TM. Immunotherapy concepts under investigation.Allergy  2011; 66 Suppl 95:60-62.
【非特許文献３】Program for Appropriate Technology in Health (PATH), Intradermal delivery of vaccines: a review of the literature and potential for development for use in low- and middle-income countries. 27 August; 2009,
【非特許文献４】Romani N et al. Langerhans cells and more: langerin-expressing dendritic cell subsets in the skin. Immunological Reviews 2010; 234(1):120-141
【非特許文献５】Shklovskaya E et al. Langerhans cells are precommitted to immune tolerance induction. Proc Natl Acad Sci U S A 2011; 108(44) 18049-18054
【非特許文献６】Pearton M et al. Changes in Human Langerhans Cells Following Intradermal Injection of Influenza Virus-Like Particle Vaccines. PLoS One. 2010; 5(8): e12410.  Affiliation: Welsh School of Pharmacy, Cardiff University, Cardiff, United Kingdom
【非特許文献７】Liard C et al. Intradermal Immunization Triggers Epidermal Langerhans Cell Mobilization Required for CD8 T-Cell Immune Responses. J Invest Dermatol 2012;132(3 Pt 1):615-625
【非特許文献８】Sen D et al. Selective and site-specific mobilization of dermal dendritic cells and Langerhans cells by Th1- and Th2-polarizing adjuvants. Proc Natl Acad Sci U S A 2010;107(18):8334-8339.
【非特許文献９】Senti G,  et al. Epicutaneous allergen administration as a novel method of allergen-specific immunotherapy. J Allergy Clin Immunol2009;124(5):997-1002
【非特許文献１０】Dupont C, et al. Cow's milk epicutaneous immunotherapy in children: a pilot trial of safety, acceptability, and impact on allergic reactivity. J Allergy Clin Immunol 2010; 125(5): 1165-1167.
【非特許文献１１】Lack G：Epidemiologic risks for food allergy. J Allergy Clin Immunol  2008; 121(6)：1331-1336,
【非特許文献１２】Fukutomi Y, et al：Rhinoconjunctival sensitization to hydrolyzed wheat protein in facial soap can induce wheat-dependent exercise-induced anaphylaxis. J Allergy Clin Immunol 2011;127(2）：531-533,
【非特許文献１３】Omori-Miyake M et al. In vitro assessment of IL-4- or IL-13-mediated changes in the structural components of keratinocytes in mice and humans. J Invest Dermatol 2014;134(5):1342-1350
【非特許文献１４】Lambert PH, et al. Intradermal vaccine delivery: Will new delivery systems transform vaccine administration? Vaccine 2008; 26(53):3197-3208.
【非特許文献１５】Laurent PE, et al. Evaluation of the clinical performance of a new intradermal vaccine administration technique and associated delivery system. Vaccine 2007;25(52):8833-8842.
【非特許文献１６】Gill HS, et al. Does needle size matter?  J Diabetes Sci Technol 2007;1(5):725-729.
【非特許文献１７】Gill HS, et al. Effect of microneedle design on pain in human subjects.  the Clinical Journal of Pain 2008;24(7):585-594.
【非特許文献１８】http://a-yit.jp/index.php?FrontPage でアクセス可能なホームページ: 矢追インパクト療法学会; 矢追インパクト療法とは
【発明の概要】
【発明が解決しようとする課題】
【００２１】
特表２００６−５０６１０３（特許文献３）には、患者に投与しなければならない治療用物質の量を低減させ、治療効果を達成する方法であって、０〜１ｍｍの露出高を備える排出口を有する少なくとも１本の小ゲージの中空針を介して物質を投与することを含み、前記排出口が０．３〜２ｍｍの深さまで皮膚に挿入され、その結果、物質の送達が０．３〜２ｍｍの深さで起こることを特徴とする方法が提案されている。【００２２】
また、上述したように、特許文献３の注射針組立体１は、中空針４と、中空針を保持するハブ２と、中空針の周囲を囲う皮膚押圧用円筒部２２とを備える。注射針組立体は、皮膚押圧用円筒部の先端開口部２８の端部が皮膚表面に対する斜めに押圧を阻害する部位を持たず、先端開口部の内径が６〜１４ｍｍ、中空針の先端開口部からの突出長が０．５〜１．４ｍｍである。【００２３】
本発明の目的は、穿刺時に表皮表面への刺激が少ない方法にて、真皮の上層部に薬物を送達できる免疫療法用の皮内注射針を提供するものである。
【課題を解決するための手段】
【００２４】
上記目的を達成するものは、以下のものである。
生体の皮膚に穿刺して使用する免疫療法用の皮内注射針であって、前記皮内注射針は、皮膚に穿刺するための穿刺端部と投与物の吐出口とを有する中空針と、前記中空針を保持するハブとを備え、さらに、前記中空針は、外径が０．１５〜０．２０ｍｍであり、前記吐出口の前記中空針の軸方向長が、０．１０〜０．８０ ｍｍであり、前記皮内注射針は、生体の皮膚への穿刺時において、前記吐出口の全体が、皮膚下０．２０〜１．００ｍｍの範囲内に刺入可能なものである免疫療法用の皮内注射針。
【図面の簡単な説明】
【００２５】
【図１】図１は、本発明の皮内注射針の一実施例の正面図である。
【図２】図２は、図１に示した皮内注射針の底面図である。
【図３】図３は、図１のＡ−Ａ線断面図である。
【図４】図４は、図１に示した皮内注射針の斜視図である。
【図５】図５は、図３の皮内注射針の先端部の拡大図である。
【図６】図６は、本発明の他の実施例の皮内注射針の先端部付近の拡大断面図である。
【図７】図７は、本発明の皮内注射針が用いられる注射器具の一例の正面図である。
【図８】図８は、図７の注射器具の縦断面図である。
【図９】図９は、図７に示した注射器具の作用を説明するための説明図である。
【発明を実施するための形態】
【００２６】
本発明の皮内注射針を図面に示した実施例を用いて説明する。
本発明の皮内注射針１は、生体の皮膚に穿刺して使用する免疫療法用の皮内注射針である。本発明の皮内注射針１は、皮膚に穿刺するための穿刺端部と投与物の吐出口４１とを有する中空針４と、中空針を保持するハブ２とを備える。中空針４は、外径が０．１５〜０．２０ｍｍであり、吐出口４１の中空針の軸方向長が、０．１０〜０．８０ｍｍであり、皮内注射針１は、生体の皮膚への穿刺時において、吐出口４１の全体が、皮膚下０．２０〜１．００ｍｍの範囲内に刺入可能なものとなっている。
【００２７】
皮膚は、表皮（角質層、淡明層、顆粒層、有棘層、基底層の5層から成る）、真皮（乳頭層、乳頭下層、網状層から成る）、皮下組織（脂肪層）により構成される。本発明における「皮内」とは、表皮および真皮部分を包含するものである。そして、本発明では、皮膚下０．２０〜１．００ｍｍの範囲内、すなわち、真皮の上層部（乳頭層）部分に、投与物（具体的には、薬剤）をデリバリーするためのものである。
【００２８】
この皮内注射針１は、皮膚下０．２０〜１．００ｍｍの部位に、薬剤を有効に投与することができ、薬剤の皮内注射によるＴｈ１免疫変調による効果が期待される治療法に有効である。例えば、アレルギーや自己免疫疾患等の免疫バランスのシフトにより発症に至る疾患をＴｈ１免疫変調によって効果を期待する治療法や抗原投与後のＴｈ１免疫変調により抗原特異的な細胞障害性T細胞を誘導して治療または予防効果を期待する方法を意味する。そして、このような治療法としては、アレルギー免疫療法、がん免疫療法、感染症ワクチン、自己免疫疾患における免疫療法（具体的には、膠原病  ＳＬＥ等）などがある。
【００２９】
また、この皮内注射針１は、皮膚下０．２０〜１．００ｍｍの部位に、薬剤を有効に投与することができ、真皮内への注射による表皮局在細胞の真皮内への移動を誘起するために有効である。表皮局在細胞としてはランゲルハンス細胞、マクロファージ、樹状細胞、リンパ球、好中球、好塩基球等があげられる。特にランゲルハンス細胞の表皮から真皮への細胞移動の誘起は、上記のＴｈ１免疫変調による効果が期待される治療法に有効である。
【００３０】
特に、本発明の皮内注射針は、免疫バランス変化を意図した投与物、例えば、治療薬の送達に用いられる。このような投与物である治療薬としては、例えば、アレルギー免疫療法におけるアレルギーの起因物質となる治療用アレルゲンがあげられる。投与されるアレルゲンとしては、花粉（スギ、ブタクサ、カモガヤ、ススキ、カナムグラ、ヒメガマ等）、食品（小麦粉、米、卵、ソバ粉、大麦トウモロコシ、エダマメ、クリ、ナシ、バナナ、リンゴ、イースト(パン種)、トウフ、ビール、アジ、イワシ、カツオ、サバ、マグロ、イカ、エビ、カニ等）雑類（カポック、ソバガラ、タタミ、綿、アサ布、イネワラ、キヌ、ナイロン、マユ、綿布、モミガラ等）真菌類（アスペルギルス、アルテルナリア、カンジダ、クラドスポリウム、ペニシリウム等）、ハウスダスト等の抽出物からなる治療用アレルゲンがある。
また、送達する薬剤の剤形としてはタンパク質、ペプチド、プラスミドＤＮＡ、細胞等が考えられるが、これに限られない。
【００３１】
そして、皮内注射針は、生体の皮膚への穿刺時において、吐出口の全体が、皮膚下０．２０〜１．００ｍｍの範囲内に刺入可能なものであることが好ましい。ハブは２、中空針保持部２３を備え、中空針４は、中空針保持部２３の先端より突出している。皮内注射針１は、吐出口４１の先端とハブ２の中空針保持部２３の先端間の距離が、１．００ｍｍ以下であることが好ましく、吐出口４１の後端とハブ２の中空針保持部２３の先端間の距離が、０．２０ｍｍ以上であることが好ましい。
【００３２】
本発明者は、鋭意検討することにより以下の知見を得た。表皮のランゲルハンス細胞に薬剤をデリバリーすることで、免疫バランスのＴｈ１シフトを効果的に引き起こすことができる。このＴｈ１シフトを誘導するには、ランゲルハンス細胞が存在する表皮部分ではなく、真皮の上層部に薬剤を送達ことが効果的である。また、皮内注射を行う際には、表皮の損傷などの刺激を抑えることが、ランゲルハンス細胞の移動やＴｈ２細胞による免疫応答の抑制に重要である。これらの点を考慮し、本発明では、上記のように、真皮の上層部に投与でき、かつ、皮膚に垂直に穿刺することが可能なものとした。さらに、単針で短く、細い針とした。
【００３３】
そして、本発明の皮内注射針１では、皮膚下０．２０〜１．００ｍｍの部位に、薬剤を有効に投与することができ、アレルギー、がん、自己免疫疾患などの免疫療法、感染症ワクチンに極めて有効であると考えた。特に、アレルギー免疫療法に有効であると考える。特に、皮膚下０．２０ｍｍ以上の深さの位置にて吐出口が存在することにより、薬液漏れを防止し、皮膚下１．００ｍｍ以下の皮内にて薬剤を投与できる。
図１ないし図５に示す実施例の皮内注射針１では、中空針４は、穿刺端部である刃面と刃面内に位置する吐出口４１を備えるものが用いられている。そして、皮内注射針１は、この中空針４を保持するハブ２と、ハブ２の基端部に装着されたコネクター３と、コネクター３内に収納されたシール部材５とを備える。
【００３４】
中空針４は、外径Ｄが、０．１５〜０．２０ｍｍのものが使用される。中空針４は、先端に吐出口４１を備える刃面が設けられている。吐出口４１の中空針４の軸方向長は、０．１０〜０．８０ｍｍであることが好ましい。特に、軸方向長は、０．１０〜０．６０ｍｍであることが好ましい。また、中空針４の刃面長（ベベル長Ｂ）は、０．３０〜０．８０ｍｍであることが好ましい。特に、ベベル長は、０．３０〜０．６０ｍｍであることが好ましい。
【００３５】
また、中空針４は、刺通抵抗が少ないものが好ましい。例えば、中空針４の先端部の表面に、シリコーン樹脂やフッ素形樹脂等からなるコーティング剤をコーティングすることにより、刺通抵抗を低減することが好ましい。これにより、中空針４を生体に穿刺した際に、皮膚と中空針との摩擦を低減することができ、穿刺時に伴う皮膚への刺激を低減できる。なお、中空針４は、中空針の形態により、刺通抵抗が少ないであってもよい。このようなものとして、先端に向かって縮径するテーパー針でも好適である。
【００３６】
中空針４の材料としては、例えば、ステンレス鋼、アルミニウム、アルミニウム合金、チタン、チタン合金などが用いられる。また、中空針４は、ストレート針、テーパー針などが用いられる。そして、この中空針４は、ハブ２にその先端部が突出するように固定されている。
【００３７】
ハブ２は、図１ないし図４に示すように、中空針４が貫通する本体部２０と、本体部２０の中空針保持部２３および中空針４の先端部の周囲を囲うように円筒状に形成された皮膚押圧用円筒部２２を備える。さらに、この実施例のハブ２は、皮膚押圧用円筒部２２の先端開口部２８より所定長基端側に設けられ、皮膚に対して皮膚押圧用円筒部２２が押し込まれる距離を認識させるための外方に突出するフランジ状の距離認識部２１を備えている。
【００３８】
具体的には、ハブ２は、略円柱状の本体部２０を備え、本体部２０の中空針保持部２３の先端より、中空針４の先端部が突出している。また、ハブ２は、本体部２０の先端より、所定長基端側の側面より、外方に延びる円盤状部（距離認識部）２１を備えている。そして、円盤状部２１の先端面より、先端方向に皮膚押圧用円筒部２２が突出している。また、円盤状部（距離認識部）は、皮膚押圧用円筒部２２の外面よりもさらに外方に突出するものとなっている。
【００３９】
そして、この実施例のハブ２では、本体部２０の先端部の先端面はある程度の面積を有する皮膚当接用先端面２３ａとなっている。そして、中空針４の先端部は、この当接用先端面２３ａより、所定長突出している。また、中空針４は、ハブ２の本体部２０（中空針保持部２３）および皮膚押圧用円筒部２２のほぼ中心軸上となるように配置されている。さらに、ハブ２は、図３に示すように、後端部が拡径した拡径部２７を備え、拡径部２７の後端面には、環状凹部２９が形成されている。
【００４０】
そして、この実施例の皮内注射針１では、図１ないし図４に示すように、皮膚押圧用円筒部２２の先端開口部２８の端部の外側角部（外縁）２６がエッジを持たない丸みを帯びたものとなっている。なお、外側角部２６は、面取りされたものであってもよい。さらに、この実施例の皮内注射針１では、図１ないし図４に示すように、円盤状部（距離認識部）２１の先端側外縁２４も９０°以下のエッジを持たないものとなっている。図示する実施例では、フランジ状の距離認識部２１の先端側外縁２４は、環状傾斜面となっている。さらに、環状傾斜面と距離認識部２１の先端面間の鈍角の角部も丸められ、実質的にエッジを持たないものとなっている。なお、外縁２４は、角が大きく丸められた環状湾曲面であってもよい。
【００４１】
そして、皮内注射針１は、生体の皮膚への穿刺時において、吐出口４１の全体が、皮膚下０．２０〜１．００ｍｍの範囲内に刺入可能なものとなっている。本件発明者らは、皮内注射によって薬剤をデリバリーすることで、免疫バランスのＴｈ１シフトを効果的に引き起こすことができるのではないかと考えた。表皮に存在するランゲルハンス細胞に効果的にデリバリーするためには、真皮の上層部に薬剤を送達できるデバイスが効果的であると考えた。検討の結果、０．２０ｍｍ以下に、吐出口（刃面の開口）が存在すると表皮からの薬液漏れが発生した。１．００ｍｍ以上では、真皮内の網状層に薬物が分布される割合が高くなることも知見した。これにより、生体の皮膚への穿刺時において、吐出口４１の全体が、皮膚下０．２０〜１．００ｍｍの範囲内に刺入可能なものであることが必要であるとの知見に到達した。特に、吐出口４１の全体が、皮膚下０．２０〜０．８０ｍｍの範囲内に刺入可能なものであることが好ましい。
【００４２】
また、この実施例の皮内注射針１では、図５に示すように、中空針４のハブ２の本体部２０の中空針保持部２３の先端面２３ａからの突出長Ｃは、０．５０〜１．００ｍｍとなっている。特に、この突出長Ｃは、０．５０〜０．８０ｍｍであることが好ましい。さらに、吐出口４１の先端とハブ２の中空針保持部２３の先端間の距離Ｃが、０．８０ｍｍ以下であることが好ましい。そして、吐出口４１の後端とハブ２の中空針保持部２３の先端間の距離Ｅが、０．２０ｍｍ以上であることが好ましい。
【００４３】
また、中空針４の皮膚押圧用円筒部２２の先端開口部２８の端部からの突出長Ｆは、０．７０〜１．４０ｍｍであることが好ましい。特に、突出長Ｆは、０．７０〜１．２０ｍｍであることが好ましい。
また、ハブ２の中空針保持部２３の先端面は、所定面積を有する平面状であることが好ましい。そして、この先端面が円形である場合には、その直径Ｈは、０．５〜５．０ｍｍであることが好ましい。特に、本体部２０の先端面（皮膚当接用面）２３ａの直径は、１．０〜２．０ｍｍであることが好ましい。
【００４４】
また、皮膚押圧用円筒部２２の先端開口部２８の内径Ｉは、６〜１４ｍｍであることが好ましい。特に、内径Ｉは、６〜１２ｍｍであることが好ましい。また、本体部２０の中空針保持部２３の先端面は、皮膚押圧用円筒部２２の先端開口部２８の端部と同じか、先端開口部２８より若干突出するものであってもよい。突出長Ｇは、０.２０〜０．４０ｍｍであることが好ましい。特に、突出長Ｇは、０．２０〜０．３０ｍｍであることが好ましい。
【００４５】
本発明の皮内注射針としては、図６に示すような中空針を用いるものであってもよい。図６は、本発明の皮内注射針の他の実施例の中空針付近の拡大断面図である。
この皮内注射針１ａでは、先端が円錐状に尖るとともに閉塞した穿刺端部４２と、先端より所定長基端側の側面に形成された吐出口４４を備えるものが用いられている。この皮内注射針１ａと上述した実施例の皮内注射針１との相違は、中空針の先端形状のみである。
【００４６】
図６に示す皮内注射針１ａでは、中空針４ａは、穿刺端部４２と、穿刺端部４２の先端より若干基端側の側面に設けられた吐出口４４を備えている。吐出口４４は、中空針４ａの内部と外部を連通している。また、この皮内注射針１ａでは、複数（具体的には、２つ）の吐出口４４を備えている。そして、この皮内注射針１ａでは、吐出口４４が側孔となっているため、投与される薬剤は、中空針４ａの中心軸に対して直交する方向、言い換えれば、皮膚表面に対して平行に流れるように投与されるものとなる。
そして、この皮内注射針１ａにおいても、上述した実施例の皮内注射針１と同様に、この中空針４を保持するハブ２と、ハブ２の基端部に装着されたコネクター３と、コネクター３内に収納されたシール部材５とを備える。
【００４７】
中空針４ａは、外径Ｄが、０．１５〜０．２０ｍｍのものが使用される。穿刺端部４２は、閉塞し、先端が尖った円錐状のものとなっているが、閉塞し、斜めに切断されたベベル状のものであってもよい。穿刺端部４２の中空針４ａの軸方向の長さＦは、０．８０〜２．００ｍｍであることが好ましい。特に、０．８０〜１．８０ｍｍであることが好ましい。
【００４８】
吐出口４４の中空針４ａの軸方向の長さＪは、０．１０〜０．８０ｍｍであることが好ましい。特に、０．１０〜０．６０ｍｍであることが好ましい。また、吐出口４４の先端とハブ２の中空針保持部２３の先端間の距離Ｃが、１．００ｍｍ以下であることが好ましい。特に、０．８０ｍｍ以下であることが好ましい。そして、吐出口４４の後端とハブ２の中空針保持部２３の先端間の距離Ｅが、０．２０〜０．９０ｍｍであることが好ましい。特に、０．２０〜０．７０ｍｍであることが好ましい。
【００４９】
また、中空針４ａは、刺通抵抗が少ないものが好ましい。例えば、中空針４ａの先端部の表面に、シリコーン樹脂やフッ素形樹脂等からなるコーティング剤をコーティングすることにより、刺通抵抗を低減することが好ましい。中空針４ａの材料としては、例えば、ステンレス鋼、アルミニウム、アルミニウム合金、チタン、チタン合金などが用いられる。
ハブ２は、上述したものと同じである。
【００５０】
そして、皮内注射針１ａは、生体の皮膚への穿刺時において、吐出口４４の全体が、皮膚下０．２０〜１．００ｍｍの範囲内に刺入可能なものとなっている。このため、皮内注射針１ａでは、吐出口４４の先端とハブ２の中空針保持部２３の先端間の距離Ｃが、１．００ｍｍ以下であることが好ましい。さらに、吐出口４４の後端とハブ２の中空針保持部２３の先端間の距離Ｅが、０．２０〜０．９０ｍｍであることが好ましい。
【００５１】
また、図６に示す中空針４ａのハブ２の本体部２０の中空針保持部２３の先端面からの突出長Ｃは．０.３０〜１．００ｍｍとなっている。特に、この突出長Ｃは、０．３０〜０．８０ｍｍであることが好ましい。また、中空針４ａの皮膚押圧用円筒部２２の先端開口部２８の端部からの突出長Ｆは、０．８０〜２．００ｍｍであることが好ましい。特に、突出長Ｆは、０．８０〜１．８０ｍｍであることが好ましい。
【００５２】
そして、この実施例の皮内注射針１は、図１ないし図４に示すように、ハブ２の基端部に装着されたコネクター３を備える。
コネクター３は、筒状本体部３１と、筒状本体部の先端に形成され、ハブ２への固定部となる先端フランジ部３２と、筒状本体部の基端部外面に形成された皮内注射針側螺合部３３とを備える。さらに、本体部３１は、先端部内部にハブ基端部収納部３４を有し、後端部内腔にシリンジのノズル部収納部３５を有している。先端フランジ部３２は、円盤状の先端面が、ハブ２の距離認識部２１の後端面に当接し、当接部において両者が固定されている。
【００５３】
ハブ２およびコネクターの形成材料は、特に限定されるものではないが、合成樹脂、例えば、ポリプロピレン、ポリエチレンなどのポリオレフィン、ポリスチレン、ＢＳ樹脂、ＡＢＳ樹脂などのスチレン系樹脂、ポリカーボネート、塩化ビニル樹脂、ポリアセタール、ポリアミド、ポリエステル、ポリサルホン、ポリアリレート、メタクリレート−ブチレン−スチレン共重合体等の熱可塑性樹脂が好適に使用できる。
【００５４】
図１ないし図４に示す実施例の皮内注射針１は、コネクター３内に収納されたシール部材５を備える。シール部材５は、ハブ２の基端面にシール部材５の先端面が当接するように収納されている。シール部材は、図９に示すように、装着されるシリンジのノズル部７８の先端とハブ２の後端間に押圧され、ハブ２の後端面およびシリンジのノズル部７８の先端面と液密に接触するものとなっている。
【００５５】
シール部材５は、略円柱状に形成されており、中空針４の基端部を収納している。シール部材５は、本体部５０と、本体部５０の内面に設けられ、中空針４の基端部外面と液密に接触可能な環状突出部５１を備える。また、本体部５０は、先端部外側面に設けられた環状突出部５２を有する。環状突出部５２は、コネクター３のノズル収納部３５よりも大きな外径を有している。このため、シール部材５の環状リブ５２は、コネクター３のノズル収納部とハブ基端部収納部間の段差部と当接し、後端方向への移動が規制されている。さらに、シール部材５の先端面には、先端方向に突出する環状リブ５４が設けられている。この環状リブ５４は、ハブ２の後端面に形成された環状凹部２９に進入している。
【００５６】
シール部材５の形成材料としては、例えば、天然ゴム、イソプレンゴム、ブタジエンゴム、フッ素ゴム、シリコーンゴム等の合成ゴム、オレフィン系エラストマーやスチレン系エラストマー等の熱可塑性エラストマー等を使用することが好ましい。
【００５７】
次に、本発明の皮内注射針が用いられる注射器具について説明する。
図７は、本発明の皮内注射針が用いられる注射器具の一例の正面図である。図８は、図７の注射器具の縦断面図である。
この例の注射器具６は、プレフィルドシリンジ７と、プレフィルドシリンジ７をプランジャーの後端側部分が露出するように収納するホルダー８と、プレフィルドシリンジ７のノズル部７８を封止するシールキャップ９とを備える。
【００５８】
プレフィルドシリンジ７は、図７および図８に示すように、外筒７１と、外筒７１のノズル部７８を被包するロックアダプタ７２と、外筒７１内に摺動可能に収納されたガスケット７３と、ガスケット７３に装着されたプランジャー７４と、外筒７１内に充填された薬液７７を備える。そして、外筒７１の先端部には、シールキャップ９が装着されている。
【００５９】
外筒７１は、円筒状の本体部を有し、その先端に、本体部より小径かつ先端に向かって縮径するノズル部７８を備える。また。外筒７１は、基端にフランジ部７５を備えている。また、この例における外筒７１は、ノズル部７８の基端部にロックアダプタ７２を係止可能な係止用リブを備えている。さらに、ノズル部７８の基端部には、図示しないロックアダプタの回転規制用リブを備えている。
【００６０】
外筒７１の形成材料としては、例えば、ポリプロピレン、ポリエチレン、ポリスチレン、ポリアミド、ポリカーボネート、ポリ塩化ビニル、ポリ−（４−メチルペンテン−１）、アクリル樹脂、アクリロニトリル−ブタジエン−スチレン共重合体、ポリエチレンテレフタレート等のポリエステル、環状ポリオレフィンポリマー、環状オレフィンコポリマーのような各種樹脂が挙げられるが、その中でも成形が容易で耐熱性があることから、ポリプロピレン、環状ポリオレフィンポリマー、環状オレフィンコポリマーのような樹脂が好ましい。なお、内部に充填された薬液を外側から目視にて確認できるように透明性が高く、充填された薬液を安定に保存可能な環状オレフィンポリマー、環状オレフィンコポリマーが、特に好ましい。
【００６１】
ロックアダプタ７２は、図８に示すように、短い筒状体、言い換えれば、リング状部材であり、ノズル部７８の外側面を被包するように設けられている。また、ロックアダプタ７２の内周面には、キャップ９のノズル収納部９３の外面に形成されたキャップ側螺合部と螺合可能なアダプタ側螺合部（筒状部側螺合部）が設けられている。また、外筒７１のアダプタ側螺合部（筒状部側螺合部）は、上述した実施例の皮内注射針１のコネクター３の皮内注射針側螺合部３３と螺合可能なものとなっている。
【００６２】
シールキャップ９は、図８に示すように、大径に形成された本体部（把持部）９１と、本体部９１より突出する小径かつ円筒状のノズル収納部９３と、ノズル収納部９３内に収納されたシール部材９２とを備えている。そして、ノズル収納部９３内に外筒７１のノズル部７８が収納されるとともに、その先端は、シール部材９２に密着し、液密にシールされている。また、キャップ９のキャップ側螺合部とアダプタ７２のアダプタ側螺合部が、螺合し、キャップ９の外筒７１からの離脱が防止されている。
【００６３】
ホルダー８は、先端から基端まで貫通した内腔を有する筒状部材８１と、筒状部材８１の内部であり、かつ先端より所定長後端側となる部分に収納されかつ固定されたプレフィルドシリンジ先端部保持部材（具体的には、ロックアダプタ保持部材）８３を備える。さらに、筒状部材８１は、後端部の内部に収納されかつ固定された外筒７１のフランジ部保持部材８２を備えている。ホルダー８は、プレフィルドシリンジ７をプランジャー７４の押圧部７６を含む後端側部分が露出するように収納するとともに、プレフィルドシリンジ７は、上述の保持部材により、ホルダーに保持され、移動不能なものとなっている。
【００６４】
次に、本発明の皮内注射針の作用について説明する。
最初に、例えば、図７および図８に示したようなプレフィルドシリンジ７を備える注射器具６を準備する。そして、注射器具６よりシールキャップ９を取り外し、プレフィルドシリンジ７のノズル部７８に、本発明の皮内注射針１を装着する。この実施例の皮内注射針１および注射器具６では、皮内注射針１を回転させて、プレフィルドシリンジ７のロックアダプタ７２のアダプタ側螺合部と、皮内注射針１のコネクター３の皮内注射針側螺合部３３とを螺合させることにより、図９のように装着される。装着状態では、皮内注射針１のシール部材５は、ハブ２の後端面とノズル部７８の先端面間に押圧された状態となり、プレフィルドシリンジ７内は、シール部材５を介して、皮内注射針１の中空針４内と液密状態にて連通するものとなる。
【００６５】
そして、皮内注射針１が装着された注射器具６のホルダー８を握り、親指が、プランジャー７の押圧部７６上となる状態とする。これにより、投与可能な状態となる。そして、通常は、上記の把持状態において、皮内注射針の皮膚変形部を皮膚に対して、平行に当て、中空針を皮膚に対して、垂直に穿刺した後、プランジャーを押込む（親指を押し下げる）ことにより、薬剤投与が行われる。
【実施例】
【００６６】
ステンレス製の中空針およびポリプロピレン樹脂製のハブを用いて、図１ない
し図５に示すような形態の皮内注射針を作成した。なお、中空針としては、図５に示すような斜めの刃面とその中に吐出口を有する中空針を用い、この中空針をハブにより保持するものとした。【００６７】
（実施例１）
実施例１の皮内注射針では、中空針の外径が、０．２０ｍｍ、刃面長Ｂ（軸方向）が、０．４５ｍｍ、ハブの先端からの中空針の突出長（ハブの先端面と中空針の刃面の先端間距離）が、０．６５ｍｍ、ハブの先端面と中空針の刃面の基端間距離が、０．２０ｍｍ、中空針の軸方向長が、０．２０ｍｍであった。【００６８】
（実施例２）
実施例２の皮内注射針では、中空針の外径が、０．２０ｍｍ、刃面長Ｂ（軸方向）が、０．４５ｍｍ、ハブの先端からの中空針の突出長（ハブの先端面と中空針の刃面の先端間距離）が、０．８０ｍｍ、ハブの先端面と中空針の刃面の基端間距離が、０．３５ｍｍ、中空針の軸方向長が、０．２０ｍｍであった。【００６９】
（実施例３）
実施例３の皮内注射針では、中空針の外径が、０．２０ｍｍ、刃面長Ｂ（軸方向）が、０．４５ｍｍ、ハブの先端からの中空針の突出長（ハブの先端面と中空針の刃面の先端間距離）が、１．００ｍｍ、ハブの先端面と中空針の刃面の基端間距離が、０．５５ｍｍ、中空針の軸方向長が、０．２０ｍｍであった。【００７０】
（比較例１）
比較例１の皮内注射針では、中空針の外径が、０．２０ｍｍ、刃面長Ｂ（軸方向）が、０．４５ｍｍ、ハブの先端からの中空針の突出長（ハブの先端面と中空針の刃面の先端間距離）が、０．４５ｍｍ、ハブの先端面と中空針の刃面の基端間距離が、０ｍｍ、中空針の軸方向長が、０．２０ｍｍであった。【００７１】
（比較例２）
比較例２の皮内注射針では、中空針の外径が、０．２０ｍｍ、刃面長Ｂ（軸方向）が、０．４５ｍｍ、ハブの先端からの中空針の突出長（ハブの先端面と中空針の刃面の先端間距離）が、１．５０ｍｍ、ハブの先端面と中空針の刃面の基端間距離が、１．０５ｍｍ、中空針の軸方向長が、０．２０ｍｍであった。【００７２】
（比較例３）
比較例３の皮内注射針では、中空針の外径が、０．２０ｍｍ、刃面長Ｂ（軸方向）が、０．４５ｍｍ、ハブの先端からの中空針の突出長（ハブの先端面と中空針の刃面の先端間距離）が、１.１５ｍｍ、ハブの先端面と中空針の刃面の基端間距離が、０．７０ｍｍ、中空針の軸方向長が、０．２０ｍｍであった。【００７３】
（実験１）
上記実施例１，２，３および比較例１，２,３の皮内注射針の中空針の露出部分に、シリコーンを塗布し、滅菌したものを準備した。そして、図７ないし図９に示すような注射器具に、各皮内注射針と、注射用水が充填されたプレフィルドシリンジを装着し、ボランティアの三角筋部の皮膚に垂直に穿刺し、生理食塩水１００μＬの投与を行った。【００７４】
実施例１，２，３および比較例３の皮内注射針では、薬液漏れは確認されず、投与部に膨疹形成が確認され、皮内注射の成功が確認された。比較例１の皮内注射針では、薬液漏れが確認された。比較例２の皮内注射針では、薬液漏れ、投与部での膨疹形成のいずれも確認できなかった。【００７５】
（実験２）
実験１と同様に、上記実施例１，２，３および比較例１，２、３の皮内注射針の中空針の露出部分に、シリコーンを塗布したものを準備した。そして、図７ないし図９に示すような注射器具に、各皮内注射針と薬剤として組織マーキング色素（ティシューマーキングダイナー）が充填されたプレフィルドシリンジを装着し、ヒト三角筋部の一般的な皮膚厚（２．０４ｍｍ）とほぼ同程度の皮膚厚を持つブタ皮膚に、垂直に穿刺し、２０、４０及び１００μLの薬剤注入を行った。その後、投与部位の病理組織切片を作成し、顕微鏡下の観察によって、薬剤の分布の観察を行った。【００７６】
比較例１の皮内注射針では、投与時の薬液漏れが確認され、病理組織観察においても皮膚内への薬剤の分布は確認されなかった。実施例１，２，３の皮内注射針では、投与時の薬液漏れは確認されず、病理組織観察において、薬剤分布は真皮の上層部にのみ観察された。比較例２の皮内注射針を用いたものでは、投与時の薬液漏れは確認されなかったが、病理組織観察において、薬剤が真皮の網状層への分布が確認され、実施例１，２，３よりも皮膚の深い位置に薬剤が分布することが確認された。比較例３の皮内注射針を用いたものでは、投与時の薬液漏れは確認されなかったが、病理組織観察において、薬剤が真皮の網状層への分布と、一部の薬剤が皮下組織へ漏れることが確認された。
【産業上の利用可能性】
【００７７】
本発明の免疫療法用の皮内注射針は、以下のものである。
（１）  生体の皮膚に穿刺して使用する免疫療法用の皮内注射針であって、前記皮内注射針は、皮膚に穿刺するための穿刺端部と投与物の吐出口とを有する中空針と、前記中空針を保持するハブとを備え、さらに、前記中空針は、外径が０．１５〜０．２０ｍｍであり、前記吐出口の前記中空針の軸方向長が、０．１０〜０．８０ ｍｍであり、前記皮内注射針は、生体の皮膚への穿刺時において、前記吐出口の全体が、皮膚下０．２０〜１．００ｍｍの範囲内に刺入可能なものである免疫療法用の皮内注射針。【００７８】
このため、この注射針では、皮膚表面に刺激が少ない方法にて、真皮の上層部に薬物を確実に送達できるため、免疫療法に有効に使用できる。【００７９】
また、上記の実施態様は、以下のものであってもよい。
（２）  前記皮内注射針は、生体の皮膚への穿刺時において、前記吐出口の全体が、皮膚下０．２０〜０．８０ｍｍの範囲内に刺入可能なものである上記（１）に記載の皮内注射針。
（３）  前記ハブは、中空針保持部を備え、前記中空針は、前記中空針保持部の先端より突出しており、前記皮内注射針は、前記吐出口の先端と前記ハブの前記中空針保持部の先端間の距離が、１．００ｍｍ以下であり、前記吐出口の後端と前記ハブの前記中空針保持部の先端間の距離が、０．２０ｍｍ以上である上記（１）または（２）に記載の皮内注射針。
（４）  前記ハブは、前記中空針の周囲を囲うように円筒状に形成され、先端開口部の端部が皮膚に押し付けられることにより、前記先端開口部内で皮膚の盛り上がりを形成する皮膚押圧用円筒部を備えている上記（１）ないし（３）のいずれかに記載の皮内注射針。
（５）  前記皮膚押圧用円筒部の前記先端開口部の内径が、６〜１４ｍｍであり、前記中空針は、前記皮膚押圧用円筒部内に形成される皮膚盛り上がり部に対して、ほぼ直交する状態で穿刺されるものとなっている上記（４）に記載の皮内注射針。
（６）  前記ハブの前記中空針保持部の先端は、前記皮膚押圧用円筒部の先端より、前方に突出している上記（４）または（５）に記載の皮内注射針。
（７）  前記皮内注射針は、投与物の皮内注射によるＴｈ１免疫変調によって効果を期待するために用いられるものである上記（１）ないし（６）のいずれかに記載の皮内注射針。
（８）  前記皮内注射針は、アレルギー免疫療法に用いるものである上記（１）ないし（６）のいずれかに記載の皮内注射針。
（９）  前記皮内注射針は、がん免疫療法に用いるものである上記（１）ないし（６）のいずれかに記載の皮内注射針。
（１０）  前記皮内注射針は、自己免疫疾患の免疫療法に用いるものである上記（１）ないし（６）のいずれかに記載の皮内注射針。
（１１）  前記皮内注射針は、細胞性免疫の誘導を期待する感染症ワクチンに用いるものである上記（１）ないし（６）のいずれかに記載の皮内注射針。
（１２）  前記皮内注射針は、真皮内への注射によって表皮から真皮への細胞移動を誘起するためのものである上記（１）ないし（６）のいずれかに記載の皮内注射針。
（１３）  前記皮内注射針は、真皮内への注射によって表皮から真皮へのランゲルハンス細胞の移動を誘起するためのものである上記（１）ないし（６）のいずれかに記載の皮内注射針。
（１４）  前記中空針は、前記穿刺端部である刃面と前記刃面内に位置する前記吐出口を有している上記（１）ないし（１１）のいずれかに記載の皮内注射針。
（１５）  前記中空針は、閉塞した前記穿刺端部と、側面に設けられた前記吐出口を備えるものである上記（１）ないし（１２）のいずれかに記載の皮内注射針。
【図１】
2017010564.tif 000003
【図２】
2017010564.tif 000004
【図３】
2017010564.tif 000005
【図４】
2017010564.tif 000006
【図５】
2017010564.tif 000007
【図６】
2017010564.tif 000008
【図７】
2017010564.tif 000009
【図８】
2017010564.tif 000010
【図９】
2017010564.tif 000011
【手続補正書】
【提出日】平成30年1月15日(2018.1.15)
【手続補正１】
【補正対象書類名】特許請求の範囲
【補正対象項目名】請求項１４
【補正方法】変更
【補正の内容】
【請求項１４】
前記中空針は、前記穿刺端部である刃面と前記刃面内に位置する前記吐出口を有している請求項１ないし１３のいずれかに記載の皮内注射針。
【手続補正２】
【補正対象書類名】特許請求の範囲
【補正対象項目名】請求項１５
【補正方法】変更
【補正の内容】
【請求項１５】
前記中空針は、閉塞した前記穿刺端部と、側面に設けられた前記吐出口を備えるものである請求項１ないし１３のいずれかに記載の皮内注射針。
【手続補正３】
【補正対象書類名】明細書
【補正対象項目名】００２１
【補正方法】変更
【補正の内容】
【００２１】
特表２００６−５０６１０３（特許文献１）には、患者に投与しなければならない治療用物質の量を低減させ、治療効果を達成する方法であって、０〜１ｍｍの露出高を備える排出口を有する少なくとも１本の小ゲージの中空針を介して物質を投与することを含み、前記排出口が０．３〜２ｍｍの深さまで皮膚に挿入され、その結果、物質の送達が０．３〜２ｍｍの深さで起こることを特徴とする方法が提案されている。
【手続補正４】
【補正対象書類名】明細書
【補正対象項目名】００３１
【補正方法】変更
【補正の内容】
【００３１】
そして、皮内注射針は、生体の皮膚への穿刺時において、吐出口の全体が、皮膚下０．２０〜１．００ｍｍの範囲内に刺入可能なものであることが好ましい。ハブ２は、中空針保持部２３を備え、中空針４は、中空針保持部２３の先端より突出している。皮内注射針１は、吐出口４１の先端とハブ２の中空針保持部２３の先端間の距離が、１．００ｍｍ以下であることが好ましく、吐出口４１の後端とハブ２の中空針保持部２３の先端間の距離が、０．２０ｍｍ以上であることが好ましい。
【手続補正５】
【補正対象書類名】明細書
【補正対象項目名】００３５
【補正方法】変更
【補正の内容】
【００３５】
また、中空針４は、刺通抵抗が少ないものが好ましい。例えば、中空針４の先端部の表面に、シリコーン樹脂やフッ素形樹脂等からなるコーティング剤をコーティングすることにより、刺通抵抗を低減することが好ましい。これにより、中空針４を生体に穿刺した際に、皮膚と中空針との摩擦を低減することができ、穿刺時に伴う皮膚への刺激を低減できる。なお、中空針４は、中空針の形態により、刺通抵抗が少ないものであってもよい。このようなものとして、先端に向かって縮径するテーパー針でも好適である。
【手続補正６】
【補正対象書類名】明細書
【補正対象項目名】００４６
【補正方法】変更
【補正の内容】
【００４６】
図６に示す皮内注射針１ａでは、中空針４ａは、穿刺端部４２と、穿刺端部４２の先端より若干基端側の側面に設けられた吐出口４４を備えている。吐出口４４は、中空針４ａの内部と外部を連通している。また、この皮内注射針１ａでは、複数（具体的には、２つ）の吐出口４４を備えている。そして、この皮内注射針１ａでは、吐出口４４が側孔となっているため、投与される薬剤は、中空針４ａの中心軸に対して直交する方向、言い換えれば、皮膚表面に対して平行に流れるように投与されるものとなる。
そして、この皮内注射針１ａにおいても、上述した実施例の皮内注射針１と同様に、この中空針４ａを保持するハブ２と、ハブ２の基端部に装着されたコネクター３と、コネクター３内に収納されたシール部材５とを備える。
【手続補正７】
【補正対象書類名】明細書
【補正対象項目名】００７９
【補正方法】変更
【補正の内容】
【００７９】
また、上記の実施態様は、以下のものであってもよい。
（２）  前記皮内注射針は、生体の皮膚への穿刺時において、前記吐出口の全体が、皮膚下０．２０〜０．８０ｍｍの範囲内に刺入可能なものである上記（１）に記載の皮内注射針。
（３）  前記ハブは、中空針保持部を備え、前記中空針は、前記中空針保持部の先端より突出しており、前記皮内注射針は、前記吐出口の先端と前記ハブの前記中空針保持部の先端間の距離が、１．００ｍｍ以下であり、前記吐出口の後端と前記ハブの前記中空針保持部の先端間の距離が、０．２０ｍｍ以上である上記（１）または（２）に記載の皮内注射針。
（４）  前記ハブは、前記中空針の周囲を囲うように円筒状に形成され、先端開口部の端部が皮膚に押し付けられることにより、前記先端開口部内で皮膚の盛り上がりを形成する皮膚押圧用円筒部を備えている上記（１）ないし（３）のいずれかに記載の皮内注射針。
（５）  前記皮膚押圧用円筒部の前記先端開口部の内径が、６〜１４ｍｍであり、前記中空針は、前記皮膚押圧用円筒部内に形成される皮膚盛り上がり部に対して、ほぼ直交する状態で穿刺されるものとなっている上記（４）に記載の皮内注射針。
（６）  前記ハブの前記中空針保持部の先端は、前記皮膚押圧用円筒部の先端より、前方に突出している上記（４）または（５）に記載の皮内注射針。
（７）  前記皮内注射針は、投与物の皮内注射によるＴｈ１免疫変調によって効果を期待するために用いられるものである上記（１）ないし（６）のいずれかに記載の皮内注射針。
（８）  前記皮内注射針は、アレルギー免疫療法に用いるものである上記（１）ないし（６）のいずれかに記載の皮内注射針。
（９）  前記皮内注射針は、がん免疫療法に用いるものである上記（１）ないし（６）のいずれかに記載の皮内注射針。
（１０）  前記皮内注射針は、自己免疫疾患の免疫療法に用いるものである上記（１）ないし（６）のいずれかに記載の皮内注射針。
（１１）  前記皮内注射針は、細胞性免疫の誘導を期待する感染症ワクチンに用いるものである上記（１）ないし（６）のいずれかに記載の皮内注射針。
（１２）  前記皮内注射針は、真皮内への注射によって表皮から真皮への細胞移動を誘起するためのものである上記（１）ないし（６）のいずれかに記載の皮内注射針。
（１３）  前記皮内注射針は、真皮内への注射によって表皮から真皮へのランゲルハンス細胞の移動を誘起するためのものである上記（１）ないし（６）のいずれかに記載の皮内注射針。
（１４）  前記中空針は、前記穿刺端部である刃面と前記刃面内に位置する前記吐出口を有している上記（１）ないし（１３）のいずれかに記載の皮内注射針。
（１５）  前記中空針は、閉塞した前記穿刺端部と、側面に設けられた前記吐出口を備えるものである上記（１）ないし（１３）のいずれかに記載の皮内注射針。
【国際調査報告】
2017010564.tif 000012
2017010564.tif 000013
2017010564.tif 000014
2017010564.tif 000015